(57)【要約】【課題】製版データの正当な再使用を許可しつつ、不正使用を防止する。【解決手段】製版データ管理システム１００において、製版データ取得手段は、製版データを取得する。製版実行手段は、製版データに基づく製版を製版メディアに実行させる命令を送出する。第１記憶手段は、製版データを示す情報を、第１の識別符号と一対一対応した情報と対応付けて記憶する。判定手段は、製版メディアを正常に押印不可能な状態にすることによって取得される第２の識別符号を、第１記憶手段に記憶された第１の識別符号と一対一対応した情報であるか否かを判定する。再製版データ取得手段は、判定手段が、第２の識別符号が第１の識別符号と一対一対応した情報であると判定した場合、再製版データを取得する。【選択図】図１
2016062468.tif 000002
【特許請求の範囲】
【請求項１】
製版メディアに設定された第１の識別符号の入力を受け付ける第１の識別符号受付手段と、
製版データを取得する製版データ取得手段と、
前記製版データ取得手段が取得した前記製版データに基づく製版を前記製版メディアに実行させる命令を送出する製版実行手段と、
前記製版データ取得手段が取得した前記製版データを示す情報を、前記第１の識別符号受付手段が入力を受け付けた前記第１の識別符号と一対一対応した情報と対応付けて記憶する第１記憶手段と、
前記製版メディアを正常に押印不可能な状態にすることによって取得される、前記製版メディアに設定された第２の識別符号の入力を受け付ける第２の識別符号受付手段と、
前記第２の識別符号受付手段が入力を受け付けた前記第２の識別符号が、前記第１記憶手段に記憶された前記第１の識別符号と一対一対応した情報であるか否かを判定する判定手段と、
前記判定手段が、前記第２の識別符号が前記第１の識別符号と一対一対応した情報であると判定した場合、前記第１の識別符号と一対一対応した情報に対応付けて前記第１記憶手段に記憶された情報によって示される前記製版データ、又は、該製版データに対応した製版データを、再製版データとして取得する再製版データ取得手段と、
を備えることを特徴とする製版データ管理システム。
【請求項２】
第２記憶手段に記憶され、販売のために供されている複数の製版データの中から、購入する製版データの選択入力を受け付ける選択入力受付手段と、
前記選択入力受付手段が選択入力を受け付けた前記製版データを、前記製版データ取得手段に送信する製版データ送信手段と、
前記製版データ送信手段によって送信され、前記製版データ取得手段が取得し、且つ、前記製版実行手段が送出した命令に基づいて製版が実行された前記製版データを廃棄する廃棄手段と、
前記判定手段が、前記第２の識別符号が前記第１の識別符号と一対一対応した情報であると判定した場合、前記再製版データを前記製版データ取得手段に送信する再製版データ送信手段と、をさらに備え、
前記再製版データ取得手段は、前記再製版データ送信手段によって送信された前記再製版データを取得する、
ことを特徴とする請求項１に記載の製版データ管理システム。
【請求項３】
前記第１記憶手段は、前記製版データ取得手段が取得した前記製版データを、前記判定手段が、前記第２の識別符号が前記第１の識別符号と一対一対応した情報であると判定するまで使用できないように記憶し、
前記再製版データ取得手段は、前記判定手段が、前記第２の識別符号が前記第１の識別符号と一対一対応した情報であると判定した場合、前記第１記憶手段に記憶された前記製版データを、前記再製版データとして取得する、
ことを特徴とする請求項１に記載の製版データ管理システム。
【請求項４】
前記選択入力受付手段が選択入力を受け付けた前記製版データが、前記第１の識別符号が設定された前記製版メディアに製版すべき製版データとして適切か否かを判定する選択入力判定手段をさらに備え、
前記製版データ送信手段は、前記選択入力受付手段が選択入力を受け付けた前記製版データが前記製版メディアに製版すべき製版データとして適切であると、前記選択入力判定手段が判定した場合に、該製版データを前記製版データ取得手段に送信する、
ことを特徴とする請求項２に記載の製版データ管理システム。
【請求項５】
前記第１の識別符号と前記第２の識別符号とのうち、一方の識別符号に予め定められた演算を実行することにより、該一方の識別符号に対応する他方の識別符号を取得する演算手段をさらに備え、
前記判定手段は、前記演算手段の演算に基づいて、前記第２の識別符号受付手段が入力を受け付けた前記第２の識別符号が、前記第１記憶手段に記憶された前記第１の識別符号と一対一対応した情報であるか否かを判定する、
ことを特徴とする請求項１から４のいずれか１項に記載の製版データ管理システム。
【請求項６】
前記第２の識別符号は、前記製版メディアを正常に押印可能な状態である間、前記製版メディアの外部からは視認できないように、前記製版メディアの内部に埋め込まれた、
ことを特徴とする請求項１から５のいずれか１項に記載の製版データ管理システム。
【請求項７】
製版メディアに設定された第１の識別符号の入力を受け付け、
製版データを取得し、
取得した前記製版データに基づく製版を前記製版メディアに実行させる命令を送出し、
取得した前記製版データを示す情報を、入力を受け付けた前記第１の識別符号と一対一対応した情報と対応付けて第１記憶手段に記憶し、
前記製版メディアを正常に押印不可能な状態にすることによって取得される、前記製版メディアに設定された第２の識別符号の入力を受け付け、
入力を受け付けた前記第２の識別符号が、前記第１記憶手段に記憶された前記第１の識別符号と一対一対応した情報であるか否かを判定し、
前記第２の識別符号が前記第１の識別符号と一対一対応した情報であると判定した場合、前記第１の識別符号と一対一対応した情報に対応付けて前記第１記憶手段に記憶された情報によって示される前記製版データ、又は、該製版データに対応した製版データを、再製版データとして取得する、
ことを特徴とする製版データ管理方法。
【請求項８】
コンピュータに、
製版メディアに設定された第１の識別符号の入力を受け付けさせ、
製版データを取得させ、
取得させた前記製版データに基づく製版を前記製版メディアに実行させる命令を送出させ、
取得させた前記製版データを示す情報を、入力を受け付けさせた前記第１の識別符号と一対一対応した情報と対応付けて第１記憶手段に記憶させ、
前記製版メディアを正常に押印不可能な状態にすることによって取得される、前記製版メディアに設定された第２の識別符号の入力を受け付けさせ、
入力を受け付けさせた前記第２の識別符号が、前記第１記憶手段に記憶させた前記第１の識別符号と一対一対応した情報であるか否かを判定させ、
前記第２の識別符号が前記第１の識別符号と一対一対応した情報であると判定させた場合、前記第１の識別符号と一対一対応した情報に対応付けて前記第１記憶手段に記憶させた情報によって示される前記製版データ、又は、該製版データに対応した製版データを、再製版データとして取得させる、
ことを特徴とするプログラム。
【発明の詳細な説明】
【技術分野】
【０００１】
本発明は、製版データ管理システム、製版データ管理方法及びプログラムに関する。
【背景技術】
【０００２】
熱収縮性を有する多孔質の印面材（製版メディア）をサーマルヘッドで加熱し、スタンプを作成する機器が存在する。例えば特許文献１は、多孔質スポンジ等の熱可塑性の多孔質材料から形成される印面材にスタンプの印判（印面）を形成するための製版用データを作成するスタンプ製版用データ作成装置を開示している。同文献では、外部から送信された製版用画像データを用いてスタンプを作成するスタンプ作成装置とその製版用画像データの作成方法について述べられている。
【先行技術文献】
【特許文献】
【０００３】
【特許文献１】特開２００９−２１８４２号公報
【発明の概要】
【発明が解決しようとする課題】
【０００４】
スタンプを作成する画像データ（製版データ）を有料で販売するサービスがある。有料のサービスを利用して製版データを購入し、スタンプを作成する場合、購入した製版データを適切に管理しないと、一度の購入で得られた同じ製版データから多くのスタンプを作成できてしまうという問題が生じる。これに対して、同じ製版データから一度のみしかスタンプを作成できないように制限してしまうと、スタンプの作成に失敗した場合やスタンプ自体の寿命が尽きた場合に、同じスタンプを新たに作成するためには再度の購入が必要となる。また、同じ製版データからのスタンプ作成を、この製版データを購入してからの期間や利用回数で制限する方法もある。しかしながら、スタンプの寿命は使用状況にも影響されるため、期間や使用回数では製版データの使用を適切に管理することが困難である。
【０００５】
本発明は、以上のような課題を解決するためのものであり、製版データの正当な再使用を許可しつつ、不正使用を防止することが可能な製版データ管理システム、製版データ管理方法及びプログラムを提供することを目的とする。
【課題を解決するための手段】
【０００６】
上記目的を達成するため、本発明に係る製版データ管理システムは、
製版メディアに設定された第１の識別符号の入力を受け付ける第１の識別符号受付手段と、
製版データを取得する製版データ取得手段と、
前記製版データ取得手段が取得した前記製版データに基づく製版を前記製版メディアに実行させる命令を送出する製版実行手段と、
前記製版データ取得手段が取得した前記製版データを示す情報を、前記第１の識別符号受付手段が入力を受け付けた前記第１の識別符号と一対一対応した情報と対応付けて記憶する第１記憶手段と、
前記製版メディアを正常に押印不可能な状態にすることによって取得される、前記製版メディアに設定された第２の識別符号の入力を受け付ける第２の識別符号受付手段と、
前記第２の識別符号受付手段が入力を受け付けた前記第２の識別符号が、前記第１記憶手段に記憶された前記第１の識別符号と一対一対応した情報であるか否かを判定する判定手段と、
前記判定手段が、前記第２の識別符号が前記第１の識別符号と一対一対応した情報であると判定した場合、前記第１の識別符号と一対一対応した情報に対応付けて前記第１記憶手段に記憶された情報によって示される前記製版データ、又は、該製版データに対応した製版データを、再製版データとして取得する再製版データ取得手段と、
を備えることを特徴とする。
【発明の効果】
【０００７】
本発明によれば、製版データの正当な再使用を許可しつつ、不正使用を防止することが可能な製版データ管理システム、製版データ管理方法及びプログラムを提供することができる。
【図面の簡単な説明】
【０００８】
【図１】本発明の実施形態１に係る製版データ管理システムの構成を示す図である。
【図２】（ａ）は、実施形態１におけるサーバの構成を示すブロック図である。（ｂ）は、実施形態１における端末の構成を示すブロック図である。
【図３】販売用製版データの例を示す図である。
【図４】購入履歴データの例を示す図である。
【図５】ＩＤ対応テーブルの例を示す図である。
【図６】製版装置を示す斜視図である。
【図７】（ａ）は、製版装置の機械構成を示す平面図である。（ｂ）は、その断面図である。
【図８】製版装置の機能構成を示すブロック図である。
【図９】（ａ）は、本発明の実施形態に係るメディアパッケージの平面図である。（ｂ）は、そのＡ−Ａ’線断面図である。
【図１０】（ａ）は、製版完了後の製版メディアがスタンプベースに取り付けられた状態を示す図である。（ｂ）は、製版メディアから再製版ＩＤを取り出す様子を示す図である。
【図１１】本発明の実施形態１に係る製版データ管理システムにおける製版処理の流れを示すフローチャートである。
【図１２】本発明の実施形態１に係る製版データ管理システムにおける再製版処理の流れを示すフローチャートである。
【図１３】（ａ）は、実施形態２におけるサーバの構成を示すブロック図である。（ｂ）は、実施形態２における端末の構成を示すブロック図である。
【図１４】本発明の実施形態２に係る製版データ管理システムにおける製版処理の流れを示すフローチャートである。
【図１５】本発明の実施形態２に係る製版データ管理システムにおける再製版処理の流れを示すフローチャートである。
【発明を実施するための形態】
【０００９】
以下、本発明の実施形態について、図面を参照して説明する。なお、図中同一又は相当する部分には同一符号を付す。
【００１０】
（実施形態１）
本発明の実施形態１に係る製版データ管理システムは、図１に示すように構成される。製版データ管理システム１００は、サーバ２００と、端末３００と、を備える。サーバ２００と端末３００とは、インターネット等の外部ネットワークによって互いに接続されている。端末３００は、ＵＳＢ（Universal Serial Bus）やＷＬＡＮ（Wireless Local Area Network）等のような、有線又は無線の通信手段によって製版装置１と接続されている。
【００１１】
サーバ２００は、製版装置１で製版可能なコンテンツを販売するためのサーバである。端末３００は、ユーザによって操作されるＰＣ（Personal Computer）やスマートフォン等の情報機器である。ユーザは、端末３００を操作してサーバ２００にアクセスし、サーバ２００で販売されている複数の製版データの中から所望の製版データを購入及びダウンロードする。そして、購入した製版データを端末３００から製版装置１に送信して、購入した製版データに基づくスタンプ用の印面を印面材（製版メディア）に形成する。
【００１２】
図２（ａ）、（ｂ）を参照して、サーバ２００及び端末３００の構成を説明する。
【００１３】
サーバ２００は、図２（ａ）に示すように、制御部２１０と、通信部２２０と、データ記憶部２３０と、を備える。
【００１４】
制御部２１０は、ＣＰＵ（Central Processing Unit）２１１と、ＣＰＵが実行する制御プログラムを格納したＲＯＭ（Read Only Memory）２１２と、ＣＰＵのメインメモリとして機能するＲＡＭ（Random Access Memory）２１３と、を備える。制御部２１０は、命令やデータを転送するための伝送経路であるシステムバスを介してサーバ２００の各部と接続され、ＣＰＵ２１１の制御のもと、サーバ２００全体を制御する。
【００１５】
通信部２２０は、制御部２１０の制御のもと、インターネット等の外部ネットワークを介して、例えば端末３００等の外部の機器と通信する。
【００１６】
データ記憶部２３０は、例えばＨＤＤ（Hard Disk Drive）、フラッシュメモリ等の記憶装置を備える。データ記憶部２３０は、制御部２１０が各種処理を行うために使用する各種プログラム及びデータ、制御部２１０が各種処理を行うことにより生成又は取得した各種データを記憶する。
【００１７】
具体的に説明すると、データ記憶部２３０は、販売用製版データ２３１と、購入履歴データ２３２と、ＩＤ（IDentification）対応テーブル２３３と、を記憶する。
【００１８】
図３に、販売用製版データ２３１の例を示す。販売用製版データ２３１は、サーバ２００で販売している、スタンプを作成するための画像データであり、この販売用製版データ２３１に基づいて、スタンプの印面が形成される。販売用画像データ２３１は、例えば販売用製版データ２３１ａや販売用製版データ２３１ｂのような文字や絵の画像等、ユーザに販売可能な様々なコンテンツを含む。ユーザは、このような販売用製版データ２３１の中から、好みの製版データを選んで購入する。データ記憶部２３０は、販売のために供されている複数の販売用製版データ２３１を記憶する第２の記憶手段として機能する。
【００１９】
図４に、購入履歴データ２３２の例を示す。購入履歴データ２３２は、サーバ２００において各ユーザが購入した製版データの履歴を示すデータである。購入履歴データ２３２は、「製版データＡ」、「製版データＢ」、「製版データＣ」等のような、過去にサーバ２００にアクセスして製版データを購入した製版データを示す情報と、メディアＩＤと、再製版フラグと、の情報を紐付けて有する。
【００２０】
メディアＩＤは、予め製版メディアのそれぞれに固有に設定された数字、文字、記号等のＩＤであって、製版メディアを識別するための第１の識別符号として機能する。すなわち、データ記憶部２３０は、購入した製版データを示す情報を、第１の識別符号として機能するメディアＩＤと、一対一で対応付けて記憶する第１記憶手段として機能する。メディアＩＤは、詳しくは後述するように、製版メディアと組み合わせて販売されるメディアホルダの表面に記される。
【００２１】
再製版フラグは、購入した製版メディアのそれぞれが、後述する再製版ＩＤを用いて再製版されたか否かを示すフラグであって、購入した製版メディアのそれぞれを１度しか再製版できないように制限するためのフラグである。再製版フラグは、既に再製版されたことを示す「済」と、未だ再製版されていないことを示す「未」と、の２通りの情報により表現される。
【００２２】
図５に、ＩＤ対応テーブル２３３の例を示す。ＩＤ対応テーブル２３３は、メディアＩＤと再製版ＩＤとの対応関係を示すテーブルである。ＩＤ対応テーブル２３３に示すように、メディアＩＤのそれぞれには、再製版ＩＤとしてランダムな数字が予め、一対一で対応付けられる。
【００２３】
再製版ＩＤは、メディアＩＤと同じく予め製版メディアのそれぞれに固有に設定された数字、文字、記号等のＩＤであって、製版メディアを識別するための第２の識別符号として機能する。再製版ＩＤは、詳しくは後述するように、購入した製版データに基づいて製版した製版メディアが寿命等で使用不可能になった後にユーザが取得することができるＩＤである。再製版ＩＤは、ＩＤ対応テーブル２３３で対応付けられたメディアＩＤが記された製版メディアの内部に、製版メディアを正常に押印可能な状態である間は製版メディアの外部からは視認できないように、埋め込まれる。
【００２４】
端末３００は、図２（ｂ）に示すように、制御部３１０と、表示部３２０と、操作部３３０と、通信部３４０と、データ記憶部３５０と、を備える。
【００２５】
制御部３１０は、ＣＰＵ３１１と、ＣＰＵが実行する制御プログラムを格納したＲＯＭ３１２と、ＣＰＵのメインメモリとして機能するＲＡＭ３１３と、を備える。制御部３１０は、命令やデータを転送するための伝送経路であるシステムバスを介して端末３００の各部と接続され、ＣＰＵ３１１の制御のもと、端末３００全体を制御する。
【００２６】
表示部３２０は、例えばＣＲＴ（Cathode Ray Tube）やＬＣＤ（Liquid Crystal Display）等の表示装置を備える。表示部３２０は、制御部３１０から供給される各種画像データに基づいて各種画像を画面に表示する。
【００２７】
操作部３３０は、例えばマウスやキーボード等の入力装置を備える。操作部３３０は、ユーザからの各種操作を受け付け、受け付けた各種操作にそれぞれ対応する操作信号を制御部３１０に供給する。例えば、操作部３３０は、ユーザの操作に従って、製版装置１での製版条件を設定するための信号や製版を実行するための信号を、制御部３１０に供給する。
【００２８】
通信部３４０は、制御部３１０の制御のもと、インターネット等の外部ネットワークを介してサーバ２００と通信し、またＵＳＢやＷＬＡＮ等を介して製版装置１と通信する。
【００２９】
データ記憶部３５０は、例えばＨＤＤ、フラッシュメモリ等の記憶装置を備える。データ記憶部３５０は、端末３００上でユーザが作業を行うため各種のアプリケーションプログラム等、制御部３１０が各種処理を行うために使用する各種プログラム及びデータ、制御部３１０が各種処理を行うことにより生成又は取得した各種データを記憶する。
【００３０】
例えば、データ記憶部３５０は、アプリケーションプログラムの１つとして、製版ドライバ３５１を記憶する。製版ドライバ３５１は、製版装置１における製版処理を制御するためのソフトウェアである。製版ドライバ３５１は、製版の開始を指示したり製版の設定を変更したりする機能に加えて、サーバ２００から購入した製版データを、不正にコピーしたり、別の情報機器へ送信したり、製版以外の目的で使用したりできないように管理する機能を有する。
【００３１】
一方で、製版装置１は、図６及び図７（ａ）、（ｂ）に示すように構成される。
【００３２】
製版装置１は、いわゆるサーマルプリンタである。製版装置１は、印刷媒体挿入口（製版挿入部）に挿入された製版メディア２１とメディアホルダ２２とを含むメディアパッケージ２０を排出口に向けて搬送する。そして、搬送中のメディアパッケージ２０上の製版メディア２１にサーマルヘッド４を所定の荷重で押し付け、サーマルヘッド４が有する複数の発熱体を選択的に加熱することにより、所望のパターン（文字、記号、図形等）を表す印面（印章やスタンプを押した時に、文字、記号、図形等からなる印影を形成する部分）を、メディアパッケージ２０内の製版メディア２１に形成する。
【００３３】
なお、図６及び図７（ａ）、（ｂ）に示すように、互いに直交するＸ、Ｙ、Ｚ方向を設定する。Ｘ方向は、メディアパッケージ２０を搬送する方向である。Ｙ方向は、製版装置１の幅方向である。Ｚ方向は、製版メディア２１にサーマルヘッド４を押しつける方向である。
【００３４】
製版装置１は、サーマルヘッド４と、ステッピングモータ９と、ガイド１４と、プラテンローラ（搬送ローラ）１２と、を備える。サーマルヘッド４、ガイド１４、プラテンローラ１２の両脇には、Ｙ方向に対向する一対の板状のサイドフレーム１３が設けられている。
【００３５】
プラテンローラ１２は、メディアパッケージ２０をＸ方向に搬送するものであって、両サイドフレーム１３間に渡されて設けられ、両端が各サイドフレーム１３を貫通している。プラテンローラ１２の両端は、サイドフレーム１３に対して回転自在になるように、サイドフレーム１３に支持されている。なお、プラテンローラ１２の回転軸の＋Ｙ軸の端部には、例えばローラ歯車（図示を省略）が一体的に取り付けられる。ステッピングモータ９の駆動軸に取り付けられた駆動歯車（図示を省略）の回転に伴う駆動力が、複数の電動歯車を介してローラ歯車に伝達されることにより、プラテンローラ１２が所定の回転速度で回転する。
【００３６】
ガイド１４には、製版メディア２１を含むメディアパッケージ２０をプラテンローラ１２に導くための傾斜面１４ａが形成されている。傾斜面１４ａは、＋Ｙ方向から見て、搬送経路に相当する傾斜面１４ａの延長線ＥＬ（図７（ｂ）において一点鎖線にて示す。）がプラテンローラ１２の外周面に接するように配置されている。
【００３７】
傾斜面１４ａの凹部１４ｂには、センサ３が設けられている。センサ３は、搬送中のメディアパッケージ２０と接触しないようにメディアパッケージ２０の軌道よりも若干−Ｚ側に配置されている。また、＋Ｚ方向から見て、センサ３は、メディアホルダ２２の切欠部２２ａがセンサ３上を通過するように左側のサイドフレーム１３よりも若干＋Ｙ側であってプラテンローラ１２よりも若干−Ｘ側に配置されている。図７（ａ）に破線で示す検知走査線ＳＬはセンサ３の光軸Ｌと交叉しＸ方向に延びる線である。センサ３は、反射型光学センサであり、＋Ｚ方向に光を出射する発光素子と、センサ対象物であるメディアパッケージ２０に当たって−Ｚ方向に反射した光を受光する受光素子と、を有する。センサ３は、受光素子において受光した光の光量に応じた信号を出力する。この信号に基づいて、メディアパッケージ２０に嵌め込まれた製版メディア２１の種類（サイズ）と印刷（製版）開始位置が特定される。
【００３８】
サーマルヘッド４は、プラテンローラ１２に対向するように設けられる。サーマルヘッド４は、Ｘ方向に搬送されるメディアパッケージ２０上の製版メディア２１を押圧する。サーマルヘッド４における製版メディア２１を押圧する押圧部４ａは、Ｙ方向に沿った直線帯状に設けられている。押圧部４ａのＹ方向の長さは、製版メディア２１の幅よりも長くなるように設けられている。これにより、製版メディア２１の幅方向に沿って延びる直線帯状の部分が一様に、押圧部４ａによって押圧されて変形する。押圧部４ａには、印面形成（製版）時に選択的に加熱される複数の発熱体（図示を省略）が、押圧部４ａの延在方向（Ｙ方向）に沿って配列されている。サーマルヘッド４には、押圧部４ａに配列される複数の発熱体の各々の発熱状態を制御するための駆動回路を備えたＩＣ（Integrated Circuit）チップであるドライバＩＣ４ｂが設けられている。
【００３９】
また、製版装置１は、サーマルヘッド４とプラテンローラ１２との間隔を調整するための間隔調整機構３２を備える。間隔調整機構３２を用いることにより、サーマルヘッド４の製版メディア２１への押圧力を変化させることができる。間隔調整機構３２は、例えば、センサ３によりメディアホルダ２２の切欠２２ａを走査することにより、製版メディア２１のサイズに基づいて、サーマルヘッド４とプラテンローラ１２との間隔を調整する。このように間隔を調整することにより、製版メディア２１のサイズが異なる場合にも、押圧部４ａの製版メディア２１への押し付け状態を調整して、適切に印面形成（製版）することができる。
【００４０】
製版装置１は、機能的には図８に示すように構成される。
【００４１】
製版装置１は、中央制御回路２、センサ３、サーマルヘッド４、電源回路５、モータドライバ６、ＵＳＢ制御回路４０、Bluetooth（登録商標）モジュール・ＷＬＡＮモジュール４１、表示デバイス４３、表示画面制御回路４７、メモリ制御回路４８、及び、ＵＩ（ユーザインターフェイス）制御回路４９、を備える。
【００４２】
モータドライバ６にはステッピングモータ９が接続され、ＵＳＢ制御回路４０には端末３００が接続される。ＵＳＢ制御回路４０の代わりにBluetoothモジュール・ＷＬＡＮモジュール４１により端末３００が接続されてもよい。
【００４３】
中央制御回路２は、ＣＰＵを含む回路である。中央制御回路２は、バスを通じて製版装置１内の各回路と接続され、製版装置１のシステム全体を制御する。
【００４４】
サーマルヘッド４は、中央制御回路２から出力されたデータと印刷信号を受け取って、ヘッド内部のドライバＩＣにて通電ドットを制御し、ヘッドに接している製版メディア２１に印面形成（製版）を実行する。
電源回路５は、電源ＩＣ等からなり、各回路に必要な電源を作り出して供給する。
モータドライバ６は、中央制御回路２から出力された駆動信号を受け取り、駆動用の電力をステッピングモータ９に供給する。中央制御回路２は、電源回路５から駆動電力を得て駆動信号を生成し、モータドライバ６に出力する。
【００４５】
中央制御回路２は、モータドライバ６に出力した駆動信号のパルス数を数えることによりステッピングモータ９をどれだけ回転させたかを判別する。そして、この回転数に基づき、メディアパッケージ２０の搬送距離を判別する。なお、サーマルヘッド４は、１−２相励磁駆動を採用しており、ギア比は１ライン（０．１２５ｍｍ）あたり１６ステップで構成される。すなわち、１ステップで０．００７８ｍｍだけ搬送される。
【００４６】
表示画面制御回路４７は、表示デバイス４３へのデータ転送やライトの点灯・消灯等を制御する。表示デバイス４３は、例えばＬＣＤ等の表示装置を備える。
メモリ制御回路４８は、プログラムやデータを記憶している例えばＮＡＮＤ型フラッシュメモリのようなＲＯＭ、一時的にプログラムやデータを保存する例えばＤＤＲ（Double Data Rate）メモリのようなＲＡＭ等を備え、これらを制御する。
ＵＩ制御回路４９は、キーボード、マウス、リモコン、ボタン、タッチパネル等の入力デバイスから操作入力を受け付け、受け付けた操作入力情報を中央制御回路２に供給する。
【００４７】
ＵＳＢ制御回路４０は、端末３００と製版装置１との間のＵＳＢによる通信を制御する。端末３００は、ＵＳＢ制御回路４０を介して製版装置１に製版データ等を送信する。
Bluetoothモジュール・ＷＬＡＮモジュール４１は、製版装置１が外部機器と無線通信するためのモジュールである。ユーザは、例えば、Bluetooth等の近距離無線通信により、携帯端末を介して後述する各種データを製版装置１に送信することができる。また、端末３００は、ＵＳＢ制御回路４０の代わりにBluetoothモジュール・ＷＬＡＮモジュール４１を介して製版装置１に製版データ等を送信してもよい。
【００４８】
製版装置１により印面形成（製版）される製版メディア２１を含むメディアパッケージ２０は、図９（ａ）、（ｂ）に示すように構成される。
【００４９】
図９（ａ）に示すように、メディアパッケージ２０は、製版メディア２１とメディアホルダ２２とを含む。製版メディア２１は、印面を形成するための印刷媒体（印面材）である。製版メディア２１は、液状のインクを含浸可能な多孔質のスポンジ体、例えば、多孔質エチレン酢酸ビニル・コポリマー（以下、「ＥＶＡ」と記す。）で構成され、押圧により変形可能となっている。ＥＶＡは無数の気泡を有しており、この気泡の中にインクを含浸する。
【００５０】
メディアホルダ２２は、製版メディア２１を保持し、搬送により製版装置１を通過させて印面形成（製版）を行うための平面状の部材である。メディアホルダ２２の働きにより、印面がずれを起こすことなく位置決めされ、タイミングが調整されて通過できる。メディアホルダ２２は、コートボール等の厚板紙により構成され、製版メディア２１を中央部に固定して保持している。メディアホルダ２２は、センサ３からの光を高い反射率で反射させるために、その表面が例えば、白色に形成されている。
【００５１】
メディアホルダ２２は、メディアＩＤを記したメディアＩＤ保存部２３を、その表面に備える。メディアＩＤは、製版メディア２１に固有に設定されたＩＤであって、製版メディア２１を識別するための第１の識別符号として機能する。メディアＩＤは、製版メディア２１がメディアパッケージ２０として製造される時から固有のＩＤとして付与される。メディアパッケージ２０は、例えば、メディアＩＤがメディアホルダ２２の表面に印刷された、又はシールとして貼られた状態で、出荷・販売される。
【００５２】
また、メディアホルダ２２の一側端には、切欠部２２ａが設けられている。この切欠部２２ａの設けられる位置や長さをセンサ３で読み取ることで、メディアパッケージ２０に収められた製版メディア２１のサイズ情報、搬送のタイミング等の情報を製版装置１に知らせることができる。
【００５３】
図９（ｂ）に示すように、メディアホルダ２２は、製版メディア２１の表面がメディアホルダ２２よりも若干突き出した状態で製版メディア２１を保持する。これは、サーマルヘッド４が、製版メディア２１をその厚さ方向に若干潰しながら熱処理（印刷、製版）することで、安定した製版制御を可能とするためである。
【００５４】
製版メディア２１の表面は、サーマルヘッド４に接して加熱される際の摩擦等の調整のため、フイルム２４で保護される。フイルム２４は、ＰＥＴ（Polyethylene Terephthalate）またはポリイミド等を基材として作られており、耐熱性・熱伝導性・表面平滑性を有するものを用いる。
【００５５】
フイルム２４は、メディアホルダ２２の表面に接着され、製版メディア２１の端部に相当する位置にミシン目２５が設けられている。フイルム２４は、製版メディア２１の表面及び側面を被覆しているが、製版メディア２１には接着されていない。従って、製版メディア２１の製版が完了した後、フイルム２４をミシン目２５に沿って引き剥がすことで、製版メディア２１を容易にメディアホルダ２２から取り出すことができる。メディアホルダ２２及びフイルム２４は、製版終了後には製版メディア２１と分離されて廃棄（又は再利用）される。
【００５６】
製版前において、製版メディア２１の表面（製版面）は加熱による非多孔質化がされておらず、製版時に加熱により非多孔質化して、製版データに従ったパターンが形成される。一方、製版メディア２１の四方の側面及び裏面には、熱裁断機によって裁断された際にＥＶＡが非多孔質されることにより、シールド部２６が予め形成されている。シールド部２６によって、製版メディア２１の内部に含浸されたインクは製版メディア２１の裏面及び側面から滲みでてくることはない。
【００５７】
また、シールド部２６の中には、再製版ＩＤを記した再製版ＩＤ保存部２７が埋め込まれている。再製版ＩＤは、製版メディア２１に固有に設定されたＩＤであって、製版メディア２１を識別するための第２の識別符号として機能する。再製版ＩＤは、メディアＩＤと同じく、製版メディア２１がメディアパッケージ２０として製造される時から固有のＩＤとして付与される。製版メディア２１は、例えば、シールド部２６を剥がすか、製版面を分解するか等によって、製版メディア２１を正常に押印不可能な状態にしないと取得できないように、再製版ＩＤ保存部２７をシールド部２６の内部に、再製版ＩＤを外部からは視認できないように埋め込んで、製造される。
【００５８】
製版メディア２１は、製版装置１における製版が完了した後、メディアホルダ２２から取り出される。取り出された製版メディア２１は、例えば図１０（ａ）に示すように、球場のグリップ（持ち手）５１を有するスタンプ５０のスタンプベース（台座）５２に両面粘着シート５３により貼り付けられる。スタンプベース５２に取り付けられた製版メディア２１は、キャップ（図示を省略）によりカバーして保護される。
【００５９】
スタンプベース５２に製版メディア２１を取り付けた後、製版メディア２１の表面（製版面）に所望の色のインクを塗布すると、インクが製版メディア２１の内部に含浸する。ユーザは、製版面の余剰のインク汚れを拭き取った後（又は試押しを何度かした後）、グリップ５１を指で持って製版面を押印対象物に押し付ける。すると、製版面から含浸インクが押し出されて印影が押印される。
【００６０】
その後、スタンプ５０の寿命が尽きる等で、他の新たな製版メディア２１を用いて同じスタンプを作成する必要が生じた場合、ユーザは、例えば図１０（ｂ）に示すように、製版メディア２１をスタンプベース５２から取り外し、さらに製版メディア２１からシールド部２６を剥がして、再製版ＩＤを取り出す。再製版ＩＤを取り出した後、ユーザが製版メディア２１で再度押印しようとしても、シールド部２６が分解されているため、インクが製版メディア２１の内部から漏れてしまって、正常には押印することができない。即ち、再製版ＩＤは、シールド部２６が製版メディア２１からのインクの滲みだしを防止できない状態にすると初めて視認できるように、シールド部２６に設けられている。  
【００６１】
このように、製版メディア２１は、シールド部２６を剥がしたり、又は他の何らかの方法で製版メディア２１を壊したりしないと再製版ＩＤを取り出せないように構成されているため、一度再製版ＩＤを取り出した後の製版メディア２１は、もはや正常に押印できない状態になる。そのため、同じ製版データに基づいて作成したスタンプ５０が、再製版することで不正に増えることを防止できる。
【００６２】
なお、図９（ａ）、（ｂ）及び図１０（ａ）、（ｂ）等に示した製版メディア２１とメディアホルダ２２とはいずれも長方形をしている。しかし、それぞれの形状・寸法は長方形状のものに限らない。製版装置１に挿入可能な幅以内であれば、メディアパッケージ２０の形状・寸法は任意であり、そのメディアホルダ２２に保持できる寸法内であれば製版メディア２１の形状・寸法は任意である。
【００６３】
以上のように構成される製版メディア２１を用いた製版データ管理システム１００の処理の流れについて、以下、図１１及び図１２に示すフローチャートを参照して説明する。
【００６４】
図１１のフローチャートに、実施形態１に係る製版データ管理システム１００が実行する製版処理の流れを示す。この製版処理は、端末３００を操作するユーザが、スタンプ５０を作成するための製版データを購入したいと考えて、インターネット等の外部ネットワークを介して製版データを販売しているサーバ２００に接続すると（ステップＳ３０１）、開始する。
【００６５】
サーバ２００では、制御部２１０が、端末３００からの接続を確認する（ステップＳ２０１）。端末３００からの接続を確認後、端末３００から製版データを販売する販売サイトにアクセスされると、制御部２１０は、サーバ２００で販売している様々な販売用製版データ２３１を端末３００に提供する（ステップＳ２０２）。端末３００では、サーバ２００から販売用製版データ２３１を提供されると、制御部３１０が、提供された販売用製版データ２３１を表示部３２０に表示して（ステップＳ３０２）、購入可能なコンテンツをユーザに提供する。
【００６６】
ユーザは、表示部３２０に表示された販売用製版データ２３１の中から、所望の製版データを購入する製版データとして選択する（ステップＳ３０３）。制御部３１０は、選択入力受付手段として機能して、サーバ２００で販売されている複数の製版データの中から、購入する製版データの選択入力を受け付ける。ユーザが購入する製版データを選択すると、その選択結果の情報は端末３００からサーバ２００に送信される。サーバ２００では、制御部２１０が、端末３００から送信された選択結果を受信する（ステップＳ２０３）。
【００６７】
購入する製版データを選択する際、サーバ２００は、購入する製版データを製版すべき製版メディア２１に設定されたメディアＩＤを要求する（ステップＳ２０４）。サーバ２００は、例えばメディアＩＤの入力画面を端末３００の表示部３２０に表示することにより、メディアＩＤの入力を要求する。メディアＩＤの入力を要求された端末３００では、制御部３１０が、第１の識別符号受付手段として機能して、製版メディア２１に設定された第１の識別符号であるメディアＩＤの入力を受け付ける（ステップＳ３０４）。具体的に説明すると、端末３００を操作するユーザが、メディアホルダ２２のメディアＩＤ保存部２３に記されたメディアＩＤを端末３００に入力する。
【００６８】
このとき、メディアＩＤ保存部２３に記されたメディアＩＤをユーザが目で読み取って、操作部３３０を介して端末３００に入力してもよい。あるいは、例えばメディアＩＤがバーコードや２次元コード等で表現されている場合には、端末３００に備えられた読取装置でバーコードや２次元コードを読み取って、メディアＩＤを端末３００に入力してもよい。入力されたメディアＩＤは、端末３００からサーバ２００に送信される。このとき、制御部２１０は、入力されたメディアＩＤがそもそも存在するものであるか否か等、不適切なＩＤでないか否かを判定し、不適切なＩＤであると判定した場合は、制御部２１０は、再度、メディアＩＤをユーザに入力させる。
【００６９】
サーバ２００では、端末３００から送信されたメディアＩＤを取得すると、制御部２１０が、選択入力判定手段として機能して、取得したメディアＩＤに基づいて、このメディアＩＤが設定された製版メディア２１に製版すべき製版データとして、選択入力を受け付けた製版データが適切であるか否かを判定する（ステップＳ２０５）。例えば、制御部２１０は、取得したメディアＩＤから、選択した製版データを用いて製版しようとしている製版メディア２１を特定し、選択した製版データが特定した製版メディア２１と、サイズや形状等の点で適合しているか否かを判定する。
【００７０】
判定の結果、選択した製版データが適切でないと判定した場合（ステップＳ２０５；ＮＯ）、制御部２１０は、端末３００に警告を発信する（ステップＳ２０６）。そして、制御部２１０の処理は、購入処理には進まずに、ステップＳ２０２の処理に戻る。すなわち、ユーザが購入しようとしている製版データが、製版メディア２１に製版すべき製版データとしては不適切であるので、制御部２１０は、再度、販売用製版データ２３１を端末３００に提供して、別の製版データをユーザに選択させる。
【００７１】
一方、判定の結果、選択した製版データが適切であると判定すると（ステップＳ２０５；ＹＥＳ）、サーバ２００及び端末３００は、購入処理を実行する（ステップ２０７、Ｓ３０５）。すなわち、選択した製版データの購入を確定して、購入商品の代金を電子決済する。端末３００を操作するユーザは、例えば決済画面においてクレジットカードの番号を入力する等によって、購入する製版データの代金を支払う。
【００７２】
購入処理が正常に完了すると、サーバ２００では、制御部２１０が、製版データ送信手段として機能して、購入した製版データを端末３００に送信する（ステップＳ２０８）。端末３００では、制御部３１０が、製版データ取得手段として機能して、サーバ２００から送信された製版データをダウンロードすることにより、購入した製版データを取得する（ステップＳ３０６）。取得した製版データは、製版以外の目的で使用されないように、製版ドライバ３５１によって管理される。尚、製版メディアの購入価格に製版データの価格を含めるようにしてもよい。その場合、製版メディアを購入時に製版データの購入にかかる費用も支払い済みであるので、サーバ２００及び端末３００における購入処理であるステップＳ２０７、Ｓ３０５の処理を省略できる。具体的には、上述の判定の結果、選択した製版データが適切であると判定すると（ステップＳ２０５；ＹＥＳ）、サーバ２００では、制御部２１０が、製版データ送信手段として機能して、購入した製版データを端末３００に送信する（ステップＳ２０８）。
【００７３】
端末３００では、購入した製版データを取得すると、制御部３１０が、取得した製版データを製版装置１に送信する、即ち、製版装置１に製版を実行させる命令を送出する（ステップＳ３０７）。すなわち、制御部３１０は、製版実行手段として機能し、製版装置１を稼働させて、購入した製版データに基づく製版を製版メディア２１に実行する。これにより、購入した製版データに基づく印影を形成可能なスタンプ５０を作成する。
【００７４】
製版装置１に製版を実行させると、端末３００では、制御部３１０が、廃棄手段として機能して、製版データ送信手段によって送信され、製版データ取得手段が取得し、且つ、製版実行手段が送出した命令に基づいて製版が実行された製版データを廃棄する。（ステップＳ３０８）これにより、製版を実行した製版データでの再度の製版をできないようにする。具体的に説明すると、制御部３１０は、購入した製版データを製版装置１に送信した後、製版装置１から正常に製版が完了した旨の通知を受信すると、端末３００内から購入した製版データを削除する。これにより、購入した製版データが、別の製版メディア２１への製版に使用されたり、コピーや別の情報機器へ送信されたり、製版以外の目的に使用されたりといった、不正使用を防止する。尚、図示しないが、製版装置１は、制御部３１０から製版データを受信すると、受信した製版データに基づくスタンプ用の印面を製版メディア２１に形成する。そして、印面の形成が完了すると、端末３００に対して、製版が完了した旨の通知を送信する。
【００７５】
一方、サーバ２００では、制御部２１０が、購入した製版データを端末３００に送信した後、データ記憶部２３０に記憶された購入履歴データ２３２を更新する（ステップＳ２０９）。具体的に説明すると、制御部２１０は、購入した製版データを、購入時にサーバ２００に送信したメディアＩＤと一対一で対応付けて、さらには再製版フラグを「未」として、購入履歴データ２３２に追加する。これにより、この製版データを、製版メディア２１に埋め込まれた再製版ＩＤを用いて再ダウンロードできるように管理する。
【００７６】
以上により、実施形態１に係る製版データ管理システム１００が実行する製版処理は終了する。購入した製版データにより作成されたスタンプ５０は、製版メディア２１の寿命が尽きて使用できなくなるまで、使用することができる。
【００７７】
図１２のフローチャートに、実施形態１に係る製版データ管理システム１００が実行する再製版処理の流れを示す。この再製版処理は、端末３００を操作するユーザが、製版メディア２１の寿命や作成時の失敗等の理由により正常に使用できなくなったスタンプ５０を、既に購入した製版データを再取得して作成し直したいと考えて、インターネット等の外部ネットワークを介してサーバ２００に接続すると（ステップＳ３１１）、開始する。
【００７８】
サーバ２００では、制御部２１０が、端末３００からの接続を確認する（ステップＳ２１１）。端末３００からの接続を確認後、端末３００から過去に購入した製版データをダウンロードするサイトにアクセスされると、制御部２１０は、再製版ＩＤの入力画面を端末３００の表示部３２０に表示して、再製版ＩＤを要求する（ステップＳ２１２）。
【００７９】
端末３００では、サーバ２００から再製版ＩＤを要求されると、制御部３１０が、第２の識別符号受付手段として機能して、製版メディア２１に設定された第２の識別符号である再製版ＩＤの入力を受け付ける（ステップＳ３１２）。具体的に説明すると、ユーザは、図１０（ｂ）に示したように、製版メディア２１のシールド部２６を剥がす等、製版メディア２１を正常に押印不可能な状態にすることによって、製版メディア２１の内部に埋め込まれた再製版ＩＤを取得する。そして、表示部３２０に表示された入力画面に従って、取り出した再製版ＩＤを端末３００に入力する。
【００８０】
このとき、製版メディア２１の内部から取り出された再製版ＩＤをユーザが目で読み取って、操作部３３０を介して端末３００に入力してもよい。あるいは、例えば再製版ＩＤがバーコードや２次元コード等で表現されている場合には、端末３００に備えられた専用の読取装置でバーコードや２次元コードを読み取って、再製版ＩＤを端末３００に入力してもよい。入力された再製版ＩＤは、端末３００からサーバ２００に送信される。
【００８１】
サーバ２００では、端末３００から送信された再製版ＩＤを取得すると、制御部２１０が、判定手段として機能して、取得した再製版ＩＤを、データ記憶部２３０に記憶された購入履歴データ２３２と照合して（ステップＳ２１３）、取得した再製版ＩＤが、データ記憶部２３０に購入履歴データ２３２として記憶されているメディアＩＤと一対一対応した情報であるか否か等を判定する。そして、制御部２１０は、第２判定手段として機能して、照合結果に基づいて、再製版データのダウンロードを許可するか否かを判定する（ステップＳ２１４）。
【００８２】
具体的に説明すると、制御部２１０は、データ記憶部２３０に記憶されたＩＤ対応テーブル２３３を参照して、取得した再製版ＩＤに対応するメディアＩＤを特定する。そして、特定したメディアＩＤと同じメディアＩＤを、購入履歴データ２３２として記憶されているメディアＩＤの中から検索する。検索の結果、特定したメディアＩＤと同じメディアＩＤを見付けた場合、さらに制御部２１０は、そのメディアＩＤに対応付けられて記憶されている製版データが、再製版フラグが「未」の状態で存在しているか否かを判定する。
【００８３】
ＩＤ対応テーブル２３３を参照した結果、取得した再製版ＩＤに対応するメディアＩＤを特定でき、購入履歴データ２３２の中にそのメディアＩＤに対応付けられて記憶されている製版データが存在しており、且つ、その製版データに対応付けられて記憶されている再製版フラグが「未」となっている場合に、制御部２１０は、再製版データのダウンロードを許可すると判定する。一方で、これらの条件のいずれか１つでも満たされない場合には、制御部２１０は、再製版データのダウンロードを許可しないと判定する。
【００８４】
判定の結果、再製版データのダウンロードを許可しない場合（ステップＳ２１４；ＮＯ）、制御部２１０は、端末３００に警告を発信する（ステップＳ２１５）。そして、制御部２１０の処理は、再製版データのダウンロード処理には進まずに、ステップＳ２１２の処理に戻る。すなわち、入力された再製版ＩＤが、再製版データのダウンロードを許可するには不適切であるので、制御部２１０は、再度、再製版ＩＤを要求して、適切な再製版ＩＤの入力をユーザに促す。
【００８５】
一方、判定の結果、再製版データのダウンロードを許可する場合（ステップＳ２１４；ＹＥＳ）、制御部２１０は、端末３００に、再製版データを製版すべき新たな製版メディア２１に設定された、新たなメディアＩＤを要求する（ステップＳ２１６）。サーバ２００は、例えばメディアＩＤの入力画面を端末３００の表示部３２０に表示することにより、新たなメディアＩＤの入力を要求する。
【００８６】
端末３００では、制御部３１０が、新たな製版メディア２１を保持するメディアホルダ２２の表面に記されたメディアＩＤの入力を受け付ける（ステップＳ３１３）。メディアＩＤの入力方法は、ステップＳ３０４で説明した購入時の入力方法と同様である。入力されたメディアＩＤは、端末３００からサーバ２００に送信される。
【００８７】
サーバ２００では、端末３００から送信されたメディアＩＤを取得すると、制御部２１０が、再製版データ送信手段として機能して、再製版データを端末３００に送信する（ステップＳ２１７）。再製版データは、例えば過去にユーザが購入した製版データと同じ製版データである。制御部２１０は、再製版ＩＤに対応するメディアＩＤを用いて過去にユーザが購入した製版データを購入履歴データ２３２から特定し、特定した製版データと同じ製版データを、無料で端末３００に送信する。これにより、ユーザは、これまで使用していたスタンプ５０と同じ印影を押印できるスタンプ５０を、同じ製版データを再度購入することなく、新たに無料で作成することができる。
【００８８】
あるいは、サーバ２００は、再製版データとして、過去にユーザが購入した製版データと全く同じ製版データではなく、対応する製版データを端末３００に送信してもよい。例えば、過去にユーザが購入した製版データの販売が既に終了している場合等、全く同じ製版データをユーザに提供できない、又は提供するのが不適切な場合もある。そのような場合、サーバ２００は、過去にユーザが購入した製版データからバージョンアップされた製版データ等、対応する別の製版データを再製版データとしてユーザに提供することができる。
【００８９】
端末３００では、制御部３１０が、再製版データ取得手段として機能して、サーバ２００から送信された再製版データを取得する（ステップＳ３１４）。取得した再製版データは、製版以外の目的で使用されないように、製版ドライバ３５１によって管理される。
【００９０】
再製版データを取得すると、制御部３１０は、取得した再製版データを製版装置１に送信する、即ち、製版装置１に再製版を実行させる命令を送出する（ステップＳ３１５）。すなわち、制御部３１０は、製版装置１を稼働させて、取得した再製版データに基づく製版を、新たな製版メディア２１に実行する。再製版された新たな製版メディア２１を用いることで、再製版データに基づく印影を形成可能な新たなスタンプ５０を作成することができる。
【００９１】
製版装置１に再製版を実行させると、端末３００では、制御部３１０が、取得した再製版データを廃棄して（ステップＳ３１６）、取得した再製版データでの再度の製版をできないようにする。例えば、制御部３１０は、取得した再製版データを製版装置１に送信した後、製版装置１から正常に再製版が完了した旨の通知を受信すると、端末３００内から取得した再製版データを削除する。これにより、取得した再製版データが、別の製版メディア２１への製版に使用されたり、コピーや別の情報機器へ送信されたり、製版以外の目的に使用されたりといった、不正使用を防止する。
【００９２】
一方、サーバ２００では、制御部２１０が、再製版データを端末３００に送信した後、データ記憶部２３０に記憶された購入履歴データ２３２を更新する（ステップＳ２１８）。具体的に説明すると、制御部２１０は、購入した製版データ２３２の中の、再製版データを送信した製版データに紐付けられた再製版フラグを「未」から「済」に変更する。これにより、同じ再製版ＩＤを用いて再製版データが何度もダウンロードされないように管理する。さらに、制御部２１０は、端末３００に送信した再製版データを、新たなメディアＩＤと、一対一で対応付けて、さらには再製版フラグを「未」として、購入履歴データ２３２に追加する。これにより、再製版データを、新たな製版メディア２１に埋め込まれた再製版ＩＤを用いて再ダウンロードできるように管理する。
【００９３】
以上により、製版データ管理システム１００が実行する再製版処理は終了する。取得した再製版データにより作成されたスタンプ５０は、新たな製版メディア２１の寿命が尽きて使用できなくなるまで、使用することができる。
【００９４】
以上説明したように、実施形態１に係る製版データ管理システム１００は、サーバ２００から購入した製版データを用いて製版した後、購入した製版データを廃棄する。その後、寿命等で製版メディア２１が使用できなくなった場合やスタンプ５０の作成を失敗した場合等には、製版メディア２１の内部に埋め込まれた再製版ＩＤを取り出すことで、再製版データをダウンロードして、もう一度スタンプ５０を作成することができる。これにより、製版データの正当な再使用を許可しつつ、不正使用を防止するように、製版データを適切に管理することができる。すなわち、製版データの販売者にとっては、コピー等の不正使用を防ぐことができるというメリットが、製版データの購入者にとっては、正当な理由がある場合には無料で製版データを再取得することができるというメリットがある。
【００９５】
（実施形態２）
次に、本発明の実施形態２について説明する。
【００９６】
実施形態１に係る製版データ管理システム１００では、端末３００は、サーバ２００から購入した製版データに基づいて製版装置１に製版を実行させた後、購入した製版データを廃棄した。そして、購入した製版データに基づいて作成したスタンプ５０が使用できなくなると、再製版ＩＤを用いて再製版データをサーバ２００から取得した。これに対して、実施形態２に係る製版データ管理システム１００では、端末は、サーバから購入した製版データに基づいて製版装置１に製版を実行させた後、購入した製版データを廃棄せずに、再使用可能な状態で端末内に保管する。以下、説明する。
【００９７】
図１３（ａ）、（ｂ）に、実施形態２に係る製版データ管理システム１００が備えるサーバ２００ａ及び端末３００ａの構成を説明する。
【００９８】
サーバ２００ａは、図１３（ａ）に示すように、制御部２１０と、通信部２２０と、データ記憶部２３０ａと、を備える。制御部２１０及び通信部２２０は、実施形態１に係る製版データ管理システム１００が備えていたものと同様である。そのため、ここでは説明を省略する。
【００９９】
データ記憶部２３０ａは、販売用製版データ２３１を記憶する。販売用製版データ２３１は、実施形態１において図３を参照して説明したものと同様である。
【０１００】
端末３００ａは、図１３（ｂ）に示すように、制御部３１０と、表示部３２０と、操作部３３０と、通信部３４０と、データ記憶部３５０ａと、ＩＤ演算部３６０と、を備える。制御部３１０、表示部３２０、操作部３３０及び通信部３４０は、実施形態１に係る製版データ管理システム１００が備えていたものと同様である。そのため、ここでは説明を省略する。
【０１０１】
データ記憶部３５０ａは、製版ドライバ３５１と、購入履歴データ２３２と、を記憶する。実施形態１では、購入履歴データ２３２は、サーバ２００のデータ記憶部２３０に記憶されていたのに対して、実施形態２では、購入履歴データ２３２は、端末３００ａのデータ記憶部３５０ａに記憶される。すなわち、実施形態１では、サーバ２００のデータ記憶部２３０が第１記憶手段として機能したが、実施形態２では、端末３００ａのデータ記憶部３５０ａが、購入した製版データを示す情報を、第１の識別符号として機能するメディアＩＤと、一対一で対応付けて記憶する第１記憶手段として機能する。購入履歴データ２３２は、実施形態１において図４を参照して説明したものと同様である。
【０１０２】
ＩＤ演算部３６０は、演算手段として機能し、メディアＩＤと再製版ＩＤとの間の対応関係を示す規則に基づいて、メディアＩＤと再製版ＩＤとのうち、一方のＩＤに予め定められた演算を実行することにより、一方のＩＤと一対一で対応する他方のＩＤを取得する。すなわち、実施形態２では、サーバ２００ａ及び端末３００ａは、保持するデータ量を抑えるため、いずれもＩＤ対応テーブル２３３を備えない。その代わり、端末３００ａは、メディアＩＤと再製版ＩＤとの対応関係に基づく演算規則を予め保持しておき、再製版ＩＤが入力されたことに応答して、ＩＤ演算部３６０の演算に基づいて、入力された再製版ＩＤに対応するメディアＩＤを取得し、データ記憶部３５０ａに記憶されたメディアＩＤと照合する。
【０１０３】
実施形態２に係る製版データ管理システム１００の処理の流れについて、以下、図１４及び図１５に示すフローチャートを参照して説明する。
【０１０４】
図１４のフローチャートに、実施形態２に係る製版データ管理システム１００が実行する製版処理の流れを示す。なお、図１４のフローチャートに関しては、実施形態１に係る製版データ管理システム１００が実行する製版処理と共通する部分について、記載を適宜省略しながら説明する。まず、ステップＳ３５１、Ｓ２５１、Ｓ２５２、Ｓ３５２、Ｓ３５３、Ｓ２５３、Ｓ２５４の各処理は、ステップＳ３０１、Ｓ２０１、Ｓ２０２、Ｓ３０２、Ｓ３０３、Ｓ２０３、Ｓ２０４の各処理と同様であるので、説明を省略する。
【０１０５】
ステップＳ３５４はステップＳ３０４と同様である。具体的に説明すると、端末３００ａを操作するユーザが、メディアホルダ２２のメディアＩＤ保存部２３に記されたメディアＩＤを端末３００ａに入力する。但し、入力されたメディアＩＤは、端末３００ａからサーバ２００ａに送信される点が、実施形態１とは異なる。また、メディアＩＤの取得方法は、実施形態１と同様である。
【０１０６】
次に、ステップＳ２５５、Ｓ２５６、Ｓ２５７、Ｓ３５５、Ｓ２５８、Ｓ３５６、Ｓ３５７の各処理は、ステップＳ２０５、Ｓ２０６、Ｓ２０７、Ｓ３０５、Ｓ２０８、Ｓ３０６、Ｓ３０７の各処理と同様であるので、説明を省略する。尚、サーバ２００ａにおける処理はステップＳ２５８で終了する点が、実施形態１とは異なる。
【０１０７】
次に、製版装置１に製版を実行させると、端末３００ａでは、制御部３１０が、購入した製版データを、不正使用できないように保管する（ステップＳ３５８）。具体的に説明すると、制御部３１０は、購入した製版データを、再製版データの取得が許可されるまでは使用できないように、データ記憶部３５０ａに記憶する。例えば、制御部３１０は、購入した製版データを暗号化してデータ記憶部３５０ａに保存する。あるいは、再製版データの取得が許可されるまでは購入した製版データを使用できないように、製版ドライバ３５１が管理してもよい。これにより、購入した製版データが、別の製版メディア２１への製版に使用されたり、コピーや別の情報機器へ送信されたり、製版以外の目的に使用されたりといった、不正使用を防止する。
【０１０８】
続いて、端末３００ａでは、制御部３１０が、データ記憶部３５０ａに記憶された購入履歴データ２３２を更新する（ステップＳ３５９）。具体的に説明すると、制御部３１０は、購入した製版データを、購入時にサーバ２００ａに送信したメディアＩＤと、一対一で対応付けて、さらには再製版フラグを「未」として、購入履歴データ２３２に追加する。これにより、この製版データを、製版メディア２１に埋め込まれた再製版ＩＤを用いて再取得できるように管理する。
【０１０９】
以上により、実施形態２に係る製版データ管理システム１００が実行する製版処理は終了する。購入した製版データにより作成されたスタンプ５０は、製版メディア２１の寿命が尽きて使用できなくなるまで、使用することができる。
【０１１０】
図１５のフローチャートに、実施形態２に係る製版データ管理システム１００が実行する再製版処理の流れを示す。この再製版処理は、端末３００ａを操作するユーザが、製版メディア２１の寿命や作成時の失敗等の理由により正常に使用できなくなったスタンプ５０を、既に購入した製版データを再取得して作成し直したいと考えて、端末３００ａを起動し、所定の入力画面において再製版ＩＤを入力すると（ステップＳ３６１）、開始する。
【０１１１】
このとき、制御部３１０は、第２の識別符号受付手段として機能して、製版メディア２１に設定された第２の識別符号である再製版ＩＤの入力を受け付ける。
【０１１２】
再製版ＩＤの入力を受け付けると、制御部３１０は、判定手段として機能して、入力された再製版ＩＤを、データ記憶部３５０ａに記憶された購入履歴データ２３２と照合して（ステップＳ３６２）、取得した再製版ＩＤが、データ記憶部３５０ａに購入履歴データ２３２として記憶されているメディアＩＤと一対一対応した情報であるか否か等を判定する。そして、制御部３１０は、第２判定手段として機能して、照合結果に基づいて、再製版データの取得を許可するか否かを判定する（ステップＳ３６３）。
【０１１３】
具体的に説明すると、制御部３１０は、ＩＤ演算部３６０により、入力された再製版ＩＤに予め定められた演算を実行して、対応するメディアＩＤを取得する。そして、取得したメディアＩＤと同じメディアＩＤを、購入履歴データ２３２として記憶されているメディアＩＤの中から検索する。検索の結果、取得したメディアＩＤと同じメディアＩＤを見付けた場合、さらに制御部２１０は、そのメディアＩＤに対応付けられて記憶されている製版データが、再製版フラグが「未」の状態で存在しているか否かを判定する。
【０１１４】
ＩＤ演算部３６０の演算により取得したメディアＩＤに対応付けられて記憶されている製版データが購入履歴データ２３２の中に存在しており、且つ、その製版データに対応付けられて記憶されている再製版フラグが「未」となっている場合に、制御部３１０は、再製版データの取得を許可すると判定する。一方で、これらの条件のいずれか１つでも満たされない場合には、制御部３１０は、再製版データの取得を許可しないと判定する。
【０１１５】
判定の結果、再製版データの取得を許可しない場合（ステップＳ３６３；ＮＯ）、制御部３１０は、警告を発信する（ステップＳ３６４）。そして、制御部３１０の処理は、以降の処理を実行せずに、終了する。すなわち、入力された再製版ＩＤが、再製版データの取得を許可するには不適切であるので、制御部３１０は、再製版データを取得することなく、処理を終える。
【０１１６】
一方、判定の結果、再製版データの取得を許可する場合（ステップＳ３６３；ＹＥＳ）、制御部３１０は、再製版データを製版すべき新たな製版メディア２１に設定された、新たなメディアＩＤの入力を受け付ける（ステップＳ３６５）。制御部３１０は、例えばメディアＩＤの入力画面を表示部３２０に表示することにより、新たなメディアＩＤの入力をユーザに要求する。ユーザは、新たな製版メディア２１を保持するメディアホルダ２２の表面に記されたメディアＩＤを、端末３００ａに入力する。
【０１１７】
新たなメディアＩＤの入力を受け付けると、制御部３１０は、再製版データ取得手段として機能して、再製版データを取得する（ステップＳ３６６）。具体的に説明すると、制御部３１０は、再製版データとして、ユーザが過去にサーバ２００ａから購入した製版データであって、データ記憶部３５０ａに不正使用できないように保管されていた製版データを、製版可能な状態に復元して取得し、ＲＡＭ３１３に展開する。これにより、ユーザは、これまで使用していたスタンプ５０と同じ印影を押印できるスタンプ５０を、同じ製版データを再度購入することなく、新たに無料で作成することができる。
【０１１８】
再製版データを取得すると、制御部３１０は、取得した再製版データを製版装置１に送信する、即ち、製版装置１に再製版を実行させる命令を送出する（ステップＳ３６７）。すなわち、制御部３１０は、製版装置１を稼働させて、取得した再製版データに基づく再製版を、新たな製版メディア２１に実行する。再製版された新たな製版メディア２１を用いることで、再製版データに基づく印影を形成可能な新たなスタンプ５０を作成することができる。
【０１１９】
製版装置１に再製版を実行させると、制御部３１０は、取得した再製版データを不正使用できないように保管する（ステップＳ３６８）。具体的に説明すると、制御部３１０は、再製版データを、更なる再製版データの取得が許可されるまでは使用できないように、データ記憶部３５０ａに記憶する。これにより、取得した再製版データが、別の製版メディア２１への製版に使用されたり、コピーや別の情報機器へ送信されたり、製版以外の目的に使用されたりといった、不正使用を防止する。
【０１２０】
続いて、制御部３１０は、データ記憶部３５０ａに記憶された購入履歴データ２３２を更新する（ステップＳ３６９）。具体的に説明すると、制御部３１０は、取得した再製版データを、新たなメディアＩＤと、一対一で対応付けて、さらには再製版フラグを「未」として、購入履歴データ２３２に追加する。これにより、再製版データを、新たな製版メディア２１に埋め込まれた再製版ＩＤを用いて再取得できるように管理する。
【０１２１】
以上により、製版データ管理システム１００が実行する再製版処理は終了する。取得した再製版データにより作成されたスタンプ５０は、新たな製版メディア２１の寿命が尽きて使用できなくなるまで、使用することができる。
【０１２２】
以上説明したように、実施形態２に係る製版データ管理システム１００は、サーバ２００ａから購入した製版データを用いて製版した後、購入した製版データを不正使用できないように保管する。その後、寿命等で製版メディア２１が使用できなくなった場合やスタンプ５０の作成を失敗した場合等には、製版メディア２１の内部に埋め込まれた再製版ＩＤを取り出すことで、再製版データを取得して、もう一度スタンプ５０を作成することができる。これにより、製版データの正当な再使用を許可しつつ、不正使用を防止するように、製版データを適切に管理することができる。
【０１２３】
特に、実施形態２に係る製版データ管理システム１００では、端末３００ａが購入履歴データ２３２を管理して、再製版を許可するか否かを判定するため、製版データを購入したサーバ２００ａに端末３００ａから再度アクセスしなくても、必要な場合にだけ再製版データを取得して、再製版することができる。
【０１２４】
（変形例）
以上に本発明の実施形態について説明したが、上記実施形態は一例であり、本発明の適用範囲はこれに限られない。すなわち、本発明の実施形態は種々の応用が可能であり、あらゆる実施の形態が本発明の範囲に含まれる。
【０１２５】
例えば、上記実施形態では、端末３００，３００ａは、サーバ２００，２００ａで販売されている販売用製版データ２３１の中から所望の製版データを購入することにより、製版データをサーバ２００，２００ａからネットワークを介して取得した。しかし、本発明に係る製版データ管理システムでは、端末は、製版データをサーバからネットワークを介して取得することに限らない。例えば、購入する製版データが、フレキシブルディスク、ＣＤ（Compact Disc）−ＲＯＭ、ＤＶＤ（Digital Versatile Disc）−ＲＯＭ、メモリカード等のコンピュータ読み取り可能な記憶媒体に格納されており、端末が、記録媒体から読み取って製版データを取得してもよい。そして、端末が、取得した製版データを、上記実施形態と同様に、正当な理由がある場合には再製版を許可しつつ、不正使用されないように管理してもよい。
【０１２６】
なお、購入時に製版データをサーバから取得しない場合であって、実施形態２に係る製版データ管理システム１００のように再製版時にも端末３００ａがサーバ２００ａにアクセスせず、且つ、製版メディアを購入時に製版データの購入にかかる費用も支払い済みである場合には、本発明に係る製版データ管理システムの構成要素に、サーバが含まれないことになる。すなわち、本発明に係る製版データ管理システムは、サーバを備えず、端末のみを備えた、より簡便に構成されるシステムであってもよい。
【０１２７】
また、実施形態１に係る製版データ管理システム１００において、サーバ２００は、データ記憶部２３０にＩＤ対応テーブル２３３を備えており、実施形態２に係る製版データ管理システム１００において、端末３００ａは、ＩＤ対応テーブル２３３の代わりにＩＤ演算部３６０を備えていた。しかし、本発明に係る製版データ管理システムは、メディアＩＤと再製版ＩＤとの間のＩＤ変換を、ＩＤ対応テーブル２３３に基づいて行うか、ＩＤ演算部３６０で行うか、どちらでもよい。すなわち、実施形態１と同様の構成を備えた製版データ管理システムにおいて、サーバ２００が、ＩＤ対応テーブル２３３の代わりにＩＤ演算部３６０を備えていてもよいし、実施形態２と同様の構成を備えた製版データ管理システムにおいて、端末３００ａが、ＩＤ対応テーブル２３３をデータ記憶部３５０ａに備えていてもよい。
【０１２８】
また、上記実施形態では、第１記憶手段として機能するデータ記憶部２３０又はデータ記憶部３５０ａは、購入履歴データ２３２として、購入した製版データを示す情報を、第１の識別符号として機能するメディアＩＤ及び再製版フラグと、一対一で対応付けて、記憶した。しかし、本発明に係る製版データ管理システムでは、第１記憶手段は、購入した製版データを示す情報を、メディアＩＤの代わりに、メディアＩＤに基づく他の情報と、一対一で対応付けて、記憶してもよい。例えば、第１記憶手段は、購入した製版データを示す情報を、第２の識別符号として機能する再製版ＩＤと、一対一で対応付けて、記憶してもよい。この場合、第１記憶手段は、ＩＤ対応テーブル２３３又はＩＤ演算部３６０を用いて、メディアＩＤから対応する再製版ＩＤを取得し、取得した再製版ＩＤと、一対一で対応付けて、購入した製版データを示す情報を記憶する。そして、再製版データを取得する際には、判定手段は、製版メディア２１を分解して得られた再製版ＩＤと同じ再製版ＩＤに、一対一で対応付けられて記憶された製版データを、第１記憶手段に記憶された再製版ＩＤと照合して特定すればよい。
【０１２９】
また、上記実施形態では、制御部３１０は、製版装置１を稼働させて、購入した製版データに基づく製版を製版メディア２１に実行するとしたが、これに限らず、端末３００が製版機能を備えていても良い。即ち、端末３００が、センサ３、サーマルヘッド４、モータドライバ６、ステッピングモータ９と、ガイド１４と、プラテンローラ（搬送ローラ）１２等、印刷に必要な構成を備えるものであっても良い。これとは逆に、製版装置１が製版ドライバ３５１を備え、サーバ３００との間でのデータ制御に必要な各処理を、製版装置１の中央制御回路２が行うものであってもよいことは言うまでもない。さらには、本発明に係る製版データ管理システムがサーバを備えない場合には、製版装置１のみを備えた、より簡便に構成されるシステムであってもよい。
【０１３０】
なお、本発明に係る機能を実現するための構成を予め備えた製版データ管理システムとして提供できることはもとより、プログラムの適用により、既存の情報処理装置等を、本発明に係る製版データ管理システムとして機能させることもできる。すなわち、上記実施形態で例示したサーバ２００，２００ａ及び端末３００，３００ａによる各機能構成を実現させるためのプログラムを、既存の情報処理装置等を制御するＣＰＵ等が実行できるように適用することで、本発明に係る製版データ管理システムとして機能させることができる。また、本発明に係る製版データ管理方法は、製版データ管理システムを用いて実施できる。
【０１３１】
また、このようなプログラムの適用方法は任意である。プログラムを、例えば、フレキシブルディスク、ＣＤ−ＲＯＭ、ＤＶＤ−ＲＯＭ、メモリカード等のコンピュータ読み取り可能な記憶媒体に格納して適用できる。さらに、プログラムを搬送波に重畳し、インターネット等の通信媒体を介して適用することもできる。例えば、通信ネットワーク上の掲示板（ＢＢＳ：Bulletin Board System）にプログラムを掲示して配信してもよい。そして、このプログラムを起動し、ＯＳ（Operating System）の制御下で、他のアプリケーションプログラムと同様に実行することにより、上記の処理を実行できるように構成してもよい。
【０１３２】
本発明のいくつかの実施形態を説明したが、本発明は特許請求の範囲に記載された発明とその均等の範囲に含まれる。以下に、本願出願の当初の特許請求の範囲に記載された発明を付記する。
【０１３３】
（付記１）
製版メディアに設定された第１の識別符号の入力を受け付ける第１の識別符号受付手段と、
製版データを取得する製版データ取得手段と、
前記製版データ取得手段が取得した前記製版データに基づく製版を前記製版メディアに実行させる命令を送出する製版実行手段と、
前記製版データ取得手段が取得した前記製版データを示す情報を、前記第１の識別符号受付手段が入力を受け付けた前記第１の識別符号と一対一対応した情報と対応付けて記憶する第１記憶手段と、
前記製版メディアを正常に押印不可能な状態にすることによって取得される、前記製版メディアに設定された第２の識別符号の入力を受け付ける第２の識別符号受付手段と、
前記第２の識別符号受付手段が入力を受け付けた前記第２の識別符号が、前記第１記憶手段に記憶された前記第１の識別符号と一対一対応した情報であるか否かを判定する判定手段と、
前記判定手段が、前記第２の識別符号が前記第１の識別符号と一対一対応した情報であると判定した場合、前記第１の識別符号と一対一対応した情報に対応付けて前記第１記憶手段に記憶された情報によって示される前記製版データ、又は、該製版データに対応した製版データを、再製版データとして取得する再製版データ取得手段と、
を備えることを特徴とする製版データ管理システム。
【０１３４】
（付記２）
第２記憶手段に記憶され、販売のために供されている複数の製版データの中から、購入する製版データの選択入力を受け付ける選択入力受付手段と、
前記選択入力受付手段が選択入力を受け付けた前記製版データを、前記製版データ取得手段に送信する製版データ送信手段と、
前記製版データ送信手段によって送信され、前記製版データ取得手段が取得し、且つ、前記製版実行手段が送出した命令に基づいて製版が実行された前記製版データを廃棄する廃棄手段と、
前記判定手段が、前記第２の識別符号が前記第１の識別符号と一対一対応した情報であると判定した場合、前記再製版データを前記製版データ取得手段に送信する再製版データ送信手段と、をさらに備え、
前記再製版データ取得手段は、前記再製版データ送信手段によって送信された前記再製版データを取得する、
ことを特徴とする付記１に記載の製版データ管理システム。
【０１３５】
（付記３）
前記第１記憶手段は、前記製版データ取得手段が取得した前記製版データを、前記判定手段が、前記第２の識別符号が前記第１の識別符号と一対一対応した情報であると判定するまで使用できないように記憶し、
前記再製版データ取得手段は、前記判定手段が、前記第２の識別符号が前記第１の識別符号と一対一対応した情報であると判定した場合、前記第１記憶手段に記憶された前記製版データを、前記再製版データとして取得する、
ことを特徴とする付記１に記載の製版データ管理システム。
【０１３６】
（付記４）
前記選択入力受付手段が選択入力を受け付けた前記製版データが、前記第１の識別符号が設定された前記製版メディアに製版すべき製版データとして適切か否かを判定する選択入力判定手段をさらに備え、
前記製版データ送信手段は、前記選択入力受付手段が選択入力を受け付けた前記製版データが前記製版メディアに製版すべき製版データとして適切であると、前記選択入力判定手段が判定した場合に、該製版データを前記製版データ取得手段に送信する、
ことを特徴とする付記２に記載の製版データ管理システム。
【０１３７】
（付記５）
前記第１の識別符号と前記第２の識別符号とのうち、一方の識別符号に予め定められた演算を実行することにより、該一方の識別符号に対応する他方の識別符号を取得する演算手段をさらに備え、
前記判定手段は、前記演算手段の演算に基づいて、前記第２の識別符号受付手段が入力を受け付けた前記第２の識別符号が、前記第１記憶手段に記憶された前記第１の識別符号と一対一対応した情報であるか否かを判定する、
ことを特徴とする付記１から４のいずれか１つに記載の製版データ管理システム。
【０１３８】
（付記６）
前記第２の識別符号は、前記製版メディアを正常に押印可能な状態である間、前記製版メディアの外部からは視認できないように、前記製版メディアの内部に埋め込まれた、
ことを特徴とする付記１から５のいずれか１つに記載の製版データ管理システム。
【０１３９】
（付記７）
製版メディアに設定された第１の識別符号の入力を受け付け、
製版データを取得し、
取得した前記製版データに基づく製版を前記製版メディアに実行させる命令を送出し、
取得した前記製版データを示す情報を、入力を受け付けた前記第１の識別符号と一対一対応した情報と対応付けて第１記憶手段に記憶し、
前記製版メディアを正常に押印不可能な状態にすることによって取得される、前記製版メディアに設定された第２の識別符号の入力を受け付け、
入力を受け付けた前記第２の識別符号が、前記第１記憶手段に記憶された前記第１の識別符号と一対一対応した情報であるか否かを判定し、
前記第２の識別符号が前記第１の識別符号と一対一対応した情報であると判定した場合、前記第１の識別符号と一対一対応した情報に対応付けて前記第１記憶手段に記憶された情報によって示される前記製版データ、又は、該製版データに対応した製版データを、再製版データとして取得する、
ことを特徴とする製版データ管理方法。
【０１４０】
（付記８）
コンピュータに、
製版メディアに設定された第１の識別符号の入力を受け付けさせ、
製版データを取得させ、
取得させた前記製版データに基づく製版を前記製版メディアに実行させる命令を送出させ、
取得させた前記製版データを示す情報を、入力を受け付けさせた前記第１の識別符号と一対一対応した情報と対応付けて第１記憶手段に記憶させ、
前記製版メディアを正常に押印不可能な状態にすることによって取得される、前記製版メディアに設定された第２の識別符号の入力を受け付けさせ、
入力を受け付けさせた前記第２の識別符号が、前記第１記憶手段に記憶させた前記第１の識別符号と一対一対応した情報であるか否かを判定させ、
前記第２の識別符号が前記第１の識別符号と一対一対応した情報であると判定させた場合、前記第１の識別符号と一対一対応した情報に対応付けて前記第１記憶手段に記憶させた情報によって示される前記製版データ、又は、該製版データに対応した製版データを、再製版データとして取得させる、
ことを特徴とするプログラム。
【符号の説明】
【０１４１】
１…製版装置、２…中央制御回路、３…センサ、４…サーマルヘッド、４ａ…押圧部、４ｂ…ドライバＩＣ、５…電源回路、６…モータドライバ、９…ステッピングモータ、１２…プラテンローラ、１３…サイドフレーム、１４…ガイド、１４ａ…傾斜面、１４ｂ…凹部、２０…メディアパッケージ、２１…製版メディア、２２…メディアホルダ、２２ａ…切欠部、２３…メディアＩＤ保存部、２４…フイルム、２５…ミシン目、２６…シールド部、２７…再製版ＩＤ保存部、３２…間隔調整機構、４０…ＵＳＢ制御回路、４１…Bluetoothモジュール・ＷＬＡＮモジュール、４３…表示デバイス、４７…表示画面制御回路、４８…メモリ制御回路、４９…ＵＩ制御回路、５０…スタンプ、５１…グリップ、５２…スタンプベース、５３…両面粘着シート、１００…製版データ管理システム、２００，２００ａ…サーバ、２１０…制御部、２１１…ＣＰＵ、２１２…ＲＯＭ、２１３…ＲＡＭ、２２０…通信部、２３０，２３０ａ…データ記憶部、２３１，２３１ａ，２３１ｂ…販売用製版データ、２３２…購入履歴データ、２３３…ＩＤ対応テーブル、３００，３００ａ…端末、３１０…制御部、３１１…ＣＰＵ、３１２…ＲＯＭ、３１３…ＲＡＭ、３２０…表示部、３３０…操作部、３４０…通信部、３５０，３５０ａ…データ記憶部、３５１…製版ドライバ、３６０…ＩＤ演算部
【図１】
2016062468.tif 000003
【図２】
2016062468.tif 000004
【図３】
2016062468.tif 000005
【図４】
2016062468.tif 000006
【図５】
2016062468.tif 000007
【図６】
2016062468.tif 000008
【図７】
2016062468.tif 000009
【図８】
2016062468.tif 000010
【図９】
2016062468.tif 000011
【図１０】
2016062468.tif 000012
【図１１】
2016062468.tif 000013
【図１２】
2016062468.tif 000014
【図１３】
2016062468.tif 000015
【図１４】
2016062468.tif 000016
【図１５】
2016062468.tif 000017